(57)【要約】【課題】従来は手動調整していたノズルの角度調整を自動的に行うことを目的とする。【解決手段】通風路３に自動首振り手段２を介して取り付けられた通風筒１と、通風筒１の先端に取り付けられ風を吹出すための筒状のノズル９と、通風筒１の内側に固定されノズル９を傾動させる自動傾動手段１０と、通風筒１表面のノズル９の傾動方向に設けられた気密性を確保するためのシール機構７と、首振り動作および傾動動作を制御する制御装置１６とを備える。【選択図】図１
2008064360.tif 000002
【特許請求の範囲】
【請求項１】
通風路に自動首振り手段を介して取り付けられた通風筒と、前記通風筒の先端に取り付けられ風を吹出すための筒状のノズルと、前記通風筒の内側に固定され前記ノズルを傾動させる自動傾動手段と、前記通風筒表面の前記ノズルの傾動方向に設けられた気密性を確保するためのシール機構と、首振り動作および傾動動作を制御する制御装置とを備え、前記自動傾動手段が前記ノズルを傾動させる方向は、前記自動首振り手段による前記通風筒の首振り方向に対して少なくとも垂直の方向を含む空調用吹出し口。
【請求項２】
自動首振り手段は、通風路に固定された首振りモータと、前記首振りモータのシャフトを通風筒に固定させる首振り支持部とを備え、制御装置の指令を受け、前記首振りモータのシャフトの回転が正転、逆転を繰り返すことにより自動首振り動作を行う請求項１記載の空調用吹出し口。
【請求項３】
自動傾動手段は、通風筒に固定された傾動モータと、ノズルに固定された傾動軸とを備えた請求項１または２記載の空調用吹出し口。
【請求項４】
傾動軸はノズルの通風方向に垂直かつ首振り方向に平行に通風筒に支持され、傾動モータのシャフトを前記傾動軸に平行に設置し、制御装置の指令を受け、前記傾動モータのシャフトの回転を、クランク機構を介して前記傾動軸へ伝達することにより、前記ノズルを自動傾動させる請求項３記載の空調用吹出し口。
【請求項５】
傾動軸はノズルの通風方向に垂直かつ首振り方向に平行に通風筒に支持され、傾動モータのシャフトを前記傾動軸に平行に設置し、制御装置の指令を受け、前記傾動モータのシャフトの回転を、回転平行伝達機構を介して前記傾動軸へ伝達することにより、前記ノズルを自動傾動させる請求項３記載の空調用吹出し口。
【請求項６】
傾動軸はノズルの通風方向に垂直かつ首振り方向に平行に通風筒に支持され、傾動モータのシャフトは前記傾動軸に直結され、制御装置の指令を受け、前記傾動モータのシャフトの回転を、前記傾動軸へ直接伝達することにより、前記ノズルを自動傾動させる請求項３記載の空調用吹出し口。
【請求項７】
シール機構は、ノズルの傾動方向の両側に設けられた開口溝と複数個のシャッターによって構成され、前記ノズルが傾動動作で寄った方向のシャッターが重なることにより、気密性を確保するようにした請求項３〜６のいずれかに記載の空調用吹出し口。
【請求項８】
シール機構は、ノズルの傾動方向の両側に設けられた伸縮材によって構成され、前記ノズルが傾動動作で寄った方向の伸縮材が縮むことにより、気密性を確保するようにした請求項３〜６のいずれかに記載の空調用吹出し口。
【請求項９】
制御装置は通風路に取り付けられ、首振り動作によって回転する通風筒に固定された傾動モータの電気配線が、レールの摺動接触を介して前記制御装置に接続された請求項３〜８のいずれかに記載の空調用吹出し口。
【請求項１０】
制御装置には、設定部と処理部と出力部とを備え、前記設定部で設定した首振り動作および傾動動作の情報を、前記処理部で記憶、処理させた後、出力部により首振りモータおよび傾動モータへ指令を出す請求項３〜９のいずれかに記載の空調用吹出し口。
【請求項１１】
設定部における首振り動作の設定は、首振りＯＮ／ＯＦＦ、首振り速度、首振り角度または首振り中心位置のうち少なくとも一つの情報を含む請求項１０記載の空調用吹出し口。
【請求項１２】
設定部における傾動動作の設定は、手動傾動調節、自動傾動ＯＮまたは自動傾動ＯＦＦのいずれかを選択できる請求項１０記載の空調用吹出し口。
【請求項１３】
設定部にさらに入力端子を設け、コンピュータで予め作成されたプログラムを前記入力端子を介して処理部に入力することにより、ノズルの３次元動作を自動的に行う請求項１０記載の空調用吹出し口。
【請求項１４】
設定部は送信器を有する無線リモコンと受信器とを含み、前記無線リモコンで設定した情報を前記送信器から前記受信器へ無線通信手段によって伝達させる請求項１０〜１３のいずれかに記載の空調用吹出し口。
【請求項１５】
無線通信手段として赤外線を利用した請求項１４記載の空調用吹出し口。
【請求項１６】
吹出し風量制御手段と人感センサとをさらに設け、ノズルが首振り動作および傾動動作によって風を吹出す範囲の人の有無を検知し、前記検知情報に基づいて前記吹出し風量制御手段を動作させる請求項１〜１５のいずれかに記載の空調用吹出し口。
【請求項１７】
人感センサが、ノズルが首振り動作および傾動動作によって風を吹出す範囲に人の存在を検知した場合、吹出し風量制御手段により前記ノズルからの風の吹出しを自動的に開始し、人の存在を検知しなくなった場合、所定の遅延時間経過後に前記吹出し風量制御手段により前記ノズルからの風の吹出しを自動的に停止させる請求項１６記載の空調用吹出し口。
【発明の詳細な説明】
【技術分野】
【０００１】
本発明は、大空間において冷房や暖房などの空調を行う場合に使用される、空調用吹出し口に関する。
【背景技術】
【０００２】
近年、工場などの大空間の空調は、省エネルギーの観点から人のいる場所のみに空調用空気を吹出す、いわゆるゾーン空調を行うことが求められている。これを解決するために、自動首振り機能を備えた空調用吹出し口が開発されてきた。従来、この種の空調用吹出し口は、自動首振り手段と風を吹出すためのノズルを備えたものが知られている（例えば、特許文献１参照）。
【０００３】
以下、その空調用吹出し口について、図８を参照しながら説明する。図８において、１０１は、通風路１０２に自動首振り手段１０３を介して取り付けられた通風筒で、先端には球形状の一部を成す保持部１０４が設けられている。１０５は、保持部１０４に包含され傾動可能に内接保持された球形状の一部を成す可動筒で、先端に風を吹出すための筒状のノズル１０６が取り付けられている。通風路１０２内に供給された冷房、暖房などの空調用空気は、通風筒１０１を通ってノズル１０６より吹出され、自動首振り手段１０３によってノズル１０６を水平方向に自動首振りさせ、空調用吹出し口下方の人のいる場所に広範囲に供給させる、いわゆるゾーン空調を行うことができるものである。特に冷房時には、人に向けて直接風を当てることにより、体感温度を下げる効果があり、しかも、人に対しては間欠風が当たるため、快適性を確保することができるものである。
【特許文献１】特開平１１−２８７５１１号公報（第５頁、第２図）
【発明の開示】
【発明が解決しようとする課題】
【０００４】
このような従来の空調用吹出し口では、人の配置が変わった時などは、図９に示すように、保持部１０４に包含され傾動可能に内接保持された可動筒１０５を動作させ、ノズル１０６の垂直方向の角度を手動で調整していた。空調用吹出し口は一般に高所に取り付けられており、ノズル１０６の角度調整のためには脚立などに登り手動調整する必要があり、頻繁に人の配置が変わる時は、調整作業に多くの手間がかかるという課題があった。
【０００５】
本発明は、このような従来の課題を解決するものであり、首振り方向に対し垂直方向のノズルの角度調整を自動的に行うことができる空調用吹出し口を提供することを目的としている。
【課題を解決するための手段】
【０００６】
本発明の空調用吹出し口は、上記目的を達成するために、通風路に自動首振り手段を介して取り付けられた通風筒と、通風筒の先端に取り付けられ風を吹出すための筒状のノズルと、通風筒の内側に固定されノズルを傾動させる自動傾動手段と、通風筒表面のノズルの傾動方向に設けられた気密性を確保するためのシール機構と、首振り動作および傾動動作を制御する制御装置とを備えたものである。この手段により、自動首振り手段による通風筒の首振り方向に対して、垂直方向にノズルを自動傾動させ、ノズルの角度調整を自動的に行うことができる。
【０００７】
また、他の手段は、自動首振り手段が、通風路に固定された首振りモータと、首振りモータのシャフトを通風筒に固定させる首振り支持部とを備え、首振りモータのシャフトの回転が正転、逆転を繰り返すことにより自動首振り動作を行うものである。これにより、自動首振りを少ない部品構成で制御することができる。
【０００８】
また、他の手段は、自動傾動手段が、通風筒に固定された傾動モータと、ノズルに固定された傾動軸とを備えたものである。これにより、自動傾動を少ない部品構成で制御することができる。
【０００９】
また、他の手段は、傾動軸がノズルの通風方向に垂直かつ首振り方向に平行に通風筒に支持され、傾動モータのシャフトを傾動軸に平行に設置し、傾動モータのシャフトの回転を、クランク機構を介して傾動軸へ伝達することにより、ノズルを自動傾動させるものである。これにより、傾動モータのコストを安価にすることができる。
【００１０】
また、他の手段は、傾動軸がノズルの通風方向に垂直かつ首振り方向に平行に通風筒に支持され、傾動モータのシャフトを傾動軸に平行に設置し、傾動モータのシャフトの回転を、回転平行伝達機構を介して傾動軸へ伝達することにより、ノズルを自動傾動させるものである。これにより、ノズルの傾動動作の制御性を向上させることができる。
【００１１】
また、他の手段は、傾動軸がノズルの通風方向に垂直かつ首振り方向に平行に通風筒に支持され、傾動モータのシャフトは傾動軸に直結され、傾動モータのシャフトの回転を、傾動軸へ直接伝達することにより、ノズルを自動傾動させるものである。これにより、伝達機構をなくしコストを安価にすることができる。
【００１２】
また、他の手段は、シール機構が、ノズルの傾動方向の両側に設けられた開口溝と複数個のシャッターによって構成され、ノズルが傾動動作で寄った方向のシャッターが重なるようにしたものである。これにより、ノズルが傾動した場合でも、気密性を確保することができる。
【００１３】
また、他の手段は、シール機構が、ノズルの傾動方向の両側に設けられた伸縮材によって構成され、ノズルが傾動動作で寄った方向の伸縮材が縮むようにしたものである。これにより、ノズルが傾動した場合でも、気密性を確保することができる。
【００１４】
また、他の手段は、制御装置が通風路に取り付けられ、首振り動作によって回転する通風筒に固定された傾動モータの電気配線が、レールの摺動接触を介して制御装置に接続されたものである。これにより、首振り動作に加えて通風筒を連続回転させる動作を可能にし、ノズルの首振り動作の制御性を向上させることができる。
【００１５】
また、他の手段は、制御装置には、設定部と処理部と出力部とを備え、設定部で設定した首振り動作および傾動動作の情報を、処理部で記憶、処理させた後、出力部により首振りモータおよび傾動モータへ指令を出すものである。これにより、首振り動作および傾動動作を任意に設定できる。
【００１６】
また、他の手段は、設定部における首振り動作の設定が、首振りＯＮ／ＯＦＦ、首振り速度、首振り角度または首振り中心位置のうち少なくとも一つの情報を含むものである。これにより、首振り動作を任意に設定できる。
【００１７】
また、他の手段は、設定部における傾動動作の設定が、手動傾動調節、自動傾動ＯＮまたは自動傾動ＯＦＦのいずれかを選択できるものである。これにより、傾動動作を任意に設定できる。
【００１８】
また、他の手段は、設定部にさらに入力端子を設け、コンピュータで予め作成されたプログラムを入力端子を介して処理部に入力するものである。これにより、ノズルの３次元動作を自動的に行い、ノズルの首振り動作、傾動動作の制御性を向上させることができる。
【００１９】
また、他の手段は、設定部が送信器を有する無線リモコンと受信器とを含み、無線リモコンで設定した情報を送信器から受信器へ無線通信手段によって伝達させるものである。これにより、首振り動作および傾動動作を手元で簡単に設定できる。
【００２０】
また、他の手段は、無線通信手段として赤外線を利用したものである。これにより、無線通信手段を安価にすることができる。
【００２１】
また、他の手段は、吹出し風量制御手段と人感センサとをさらに設け、ノズルが首振り動作および傾動動作によって風を吹出す範囲の人の有無を検知し、前記検知情報に基づいて吹出し風量制御手段を動作させるものである。これにより、省エネルギー化を図ることができる。
【００２２】
また、他の手段は、人感センサが、ノズルが首振り動作および傾動動作によって風を吹出す範囲に人の存在を検知した場合、吹出し風量制御手段によりノズルからの風の吹出しを自動的に開始し、人の存在を検知しなくなった場合、所定の遅延時間経過後に吹出し風量制御手段によりノズルからの風の吹出しを自動的に停止させるものである。これにより、誤動作なく省エネルギー化を図ることができる。
【発明の効果】
【００２３】
本発明によれば、ノズルを自動傾動させることにより、手間をかけることなく、ノズルの角度調整を自動的に行うことができる空調用吹出し口を提供できる。また、コストを安価にすることができる、少ない部品構成で制御することができる、制御性を向上させることができる、首振り動作および傾動動作を任意に手元で簡単に設定できる、省エネルギー化を図ることができる、などの効果も奏する。
【発明を実施するための最良の形態】
【００２４】
本発明の請求項１記載の発明は、通風路に自動首振り手段を介して取り付けられた通風筒と、通風筒の先端に取り付けられ風を吹出すための筒状のノズルと、通風筒の内側に固定されノズルを傾動させる自動傾動手段と、通風筒表面のノズルの傾動方向に設けられた気密性を確保するためのシール機構と、首振り動作および傾動動作を制御する制御装置とを備えたため、自動首振り手段による通風筒の首振り方向に対して、垂直方向にノズルを自動傾動させ、ノズルの角度調整を自動的に行うという作用を有する。
【００２５】
本発明の請求項２記載の発明は、自動首振り手段が、通風路に固定された首振りモータと、首振りモータのシャフトを通風筒に固定させる首振り支持部とを備え、首振りモータのシャフトの回転が正転、逆転を繰り返すことにより自動首振り動作を行うため、自動首振りを少ない部品構成で制御できるという作用を有する。
【００２６】
本発明の請求項３記載の発明は、自動傾動手段が、通風筒に固定された傾動モータと、ノズルに固定された傾動軸とを備えたため、自動傾動を少ない部品構成で制御できるという作用を有する。
【００２７】
本発明の請求項４記載の発明は、傾動軸がノズルの通風方向に垂直かつ首振り方向に平行に通風筒に支持され、傾動モータのシャフトを傾動軸に平行に設置し、傾動モータのシャフトの回転を、クランク機構を介して傾動軸へ伝達するため、傾動モータのコストを安価にできるという作用を有する。
【００２８】
本発明の請求項５記載の発明は、傾動軸がノズルの通風方向に垂直かつ首振り方向に平行に通風筒に支持され、傾動モータのシャフトを傾動軸に平行に設置し、傾動モータのシャフトの回転を、回転平行伝達機構を介して傾動軸へ伝達するため、ノズルの傾動動作の制御性を向上させるという作用を有する。
【００２９】
本発明の請求項６記載の発明は、傾動軸がノズルの通風方向に垂直かつ首振り方向に平行に通風筒に支持され、傾動モータのシャフトは傾動軸に直結され、傾動モータのシャフトの回転を、傾動軸へ直接伝達するため、伝達機構をなくしコストを安価にできるという作用を有する。
【００３０】
本発明の請求項７記載の発明は、シール機構が、ノズルの傾動方向の両側に設けられた開口溝と複数個のシャッターによって構成され、ノズルが傾動動作で寄った方向のシャッターが重なるようにしたため、ノズルが傾動した場合でも、気密性を確保するという作用を有する。
【００３１】
本発明の請求項８記載の発明は、シール機構が、ノズルの傾動方向の両側に設けられた伸縮材によって構成され、ノズルが傾動動作で寄った方向の伸縮材が縮むようにしたため、ノズルが傾動した場合でも、気密性を確保するという作用を有する。
【００３２】
本発明の請求項９記載の発明は、制御装置が通風路に取り付けられ、首振り動作によって回転する通風筒に固定された傾動モータの電気配線が、レールの摺動接触を介して制御装置に接続されたため、首振り動作に加えて通風筒を連続回転させる動作を可能にし、ノズルの首振り動作の制御性を向上させるという作用を有する。
【００３３】
本発明の請求項１０記載の発明は、制御装置には、設定部と処理部と出力部とを備え、設定部で設定した首振り動作および傾動動作の情報を、処理部で記憶、処理させた後、出力部により首振りモータおよび傾動モータへ指令を出すため、首振り動作および傾動動作を任意に設定できるという作用を有する。
【００３４】
本発明の請求項１１記載の発明は、設定部における首振り動作の設定が、首振りＯＮ／ＯＦＦ、首振り速度、首振り角度または首振り中心位置のうち少なくとも一つの情報を含むため、首振り動作を任意に設定できるという作用を有する。
【００３５】
本発明の請求項１２記載の発明は、設定部における傾動動作の設定が、手動傾動調節、自動傾動ＯＮまたは自動傾動ＯＦＦのいずれかを選択できるため、傾動動作を任意に設定できるという作用を有する。
【００３６】
本発明の請求項１３記載の発明は、設定部にさらに入力端子を設け、コンピュータで予め作成されたプログラムを入力端子を介して処理部に入力するため、ノズルの３次元動作を自動的に行い、ノズルの首振り動作、傾動動作の制御性を向上させるという作用を有する。
【００３７】
本発明の請求項１４記載の発明は、設定部が送信器を有する無線リモコンと受信器とを含み、無線リモコンで設定した情報を送信器から受信器へ無線通信手段によって伝達させるため、首振り動作および傾動動作を手元で簡単に設定できるという作用を有する。
【００３８】
本発明の請求項１５記載の発明は、無線通信手段として赤外線を利用したため、無線通信手段を安価にできるという作用を有する。
【００３９】
本発明の請求項１６記載の発明は、吹出し風量制御手段と人感センサとをさらに設け、ノズルが首振り動作および傾動動作によって風を吹出す範囲の人の有無を検知し、前記検知情報に基づいて吹出し風量制御手段を動作させるため、省エネルギー化を図るという作用を有する。
【００４０】
本発明の請求項１７記載の発明は、人感センサが、ノズルが首振り動作および傾動動作によって風を吹出す範囲に人の存在を検知した場合、吹出し風量制御手段によりノズルからの風の吹出しを自動的に開始し、人の存在を検知しなくなった場合、所定の遅延時間経過後に吹出し風量制御手段によりノズルからの風の吹出しを自動的に停止させるため、誤動作なく省エネルギー化を図るという作用を有する。
【００４１】
以下、本発明の実施の形態について、図１〜図７を参照しながら説明する。
【００４２】
（実施の形態１）
図１は、本発明の実施の形態１における空調用吹出し口の縦断面図である。
【００４３】
図１において、１は、自動首振り手段２としての通風路３に固定された首振りモータ４のシャフト５に首振り支持部６を介して取り付けられた通風筒で、先端には風を吹出すための筒状のノズル９が取り付けられている。１０は、通風筒１の内側に固定されノズル９を傾動させる自動傾動手段で、ノズル９に固定されノズル９の通風方向に垂直かつ首振り方向に平行に通風筒１に支持された傾動軸１１と、通風筒１に固定され傾動軸１１と平行に設置されたシャフト１２を有する傾動モータ１３と、傾動モータ１３のシャフト１２の連続回転運動を傾動軸１１の回転往復運動に伝達するクランク機構１４とから構成されている。７は、通風筒１表面のノズル９の傾動方向に設けられたシール機構で、図７の本発明の実施の形態１における空調用吹出し口の斜視図にも示すように、ノズル９が傾動する範囲に通風筒１に設けられた開口溝８ａと、開口溝８ａの表面を被いノズル９が傾動する方向に重なるように配置された複数個のシャッター８ｂとから構成されている。
【００４４】
１６は、通風路３に固定された制御装置で、電気配線１７ａ〜レール１８〜接触子１９〜電気配線１７ｂを介して傾動モータ１３に、電気配線１７ｃを介して首振りモータ４に、それぞれ電気的に接続されている。制御装置１６は、設定部２０と処理部２１と出力部２２とを備え、設定部２０は、送信器２３を有する無線リモコン２４の発する赤外線を受信する受信器２５を含み、無線リモコン２４で設定した情報を送信器２３から受信器２５へ赤外線によって伝達する。無線通信手段として赤外線を利用することにより、比較的コストを安価にすることができる。２６は、通風路３に設けられ、人感センサ２７により人の有無を検知してノズル９から吹出す風量の制御を行う吹出し風量制御手段としてのダンパーで、電動モータ２８の動作により風路の開閉を行う。なお、設定部２０には入力端子２９が設けられており、コンピュータ（図示せず）と接続することにより、コンピュータで予め作成されたプログラムを入力端子２９を介して処理部２１に入力することができる。
【００４５】
図２は、本発明の実施の形態１における空調用吹出し口の無線リモコン正面図である。
【００４６】
無線リモコン２４には、首振り動作ＯＮ／ＯＦＦスイッチ２４ａ、首振り速度設定スイッチ２４ｂ、首振り角度設定スイッチ２４ｃ、首振り中心位置設定スイッチ２４ｄ、手動傾動調節スイッチ２４ｅ、自動傾動ＯＮ／ＯＦＦスイッチ２４ｆが設けられている。
【００４７】
つぎに、本実施の形態１における動作を説明する。通風路３内に供給された冷房、暖房などの空調用空気は、通風筒１を通ってノズル９より吹出される。この時、自動首振り手段２としての首振りモータ４のシャフト５の回転が正転、逆転を繰り返すことにより、ノズル９を含む通風筒１の水平方向の自動首振り動作を行い、空調用吹出し口下方の人のいる場所に広範囲に空調用空気を供給させる、いわゆるゾーン空調を行うことができるものである。特に冷房時には、人に向けて直接風を当てることにより、体感温度を下げる効果があり、しかも、人に対しては間欠風が当たるため、快適性を確保することができるものである。
【００４８】
この首振り動作の設定は、無線リモコン２４のスイッチによって行うことができる。例えば、人のいるところを中心に首振り動作をさせる場合は、まず首振り中心位置設定スイッチ２４ｄを押し続け、ノズル９が所望の首振り中心位置に達した時にスイッチから手を離す。つぎに、首振り動作ＯＮ／ＯＦＦスイッチ２４ａを押し首振り動作を開始させた後、首振り角度設定スイッチ２４ｃを数回押すことにより、好みの首振り角度（例えば６０°、９０°、１２０°など）を設定し、さらに、首振り速度設定スイッチ２４ｂを数回押すことにより、好みの首振り速度（例えば、低速、中速、高速など）を設定する。これらの操作において、無線リモコン２４で設定した情報は、送信器２３から設定部２０としての受信器２５へ赤外線によって伝達され、処理部２１で記憶、処理された後、出力部２２により首振りモータ４へ指令を出し、ノズル９の自動首振り動作を制御するものである。なお、首振り動作によって回転する通風筒１に固定された傾動モータ１３の電気配線１７ａ、１７ｂは、レール１８と接触子１９の摺動接触を介して制御装置１６に接続されており、首振り動作に加えてノズル９を連続回転させた場合でも、電気配線１７ａ、１７ｂがねじれることがないため、首振り動作の制御性を向上させることができる。
【００４９】
また、人感センサ２７により、ノズル９が風を吹出す範囲に人の存在を検知した場合、吹出し風量制御手段としてのダンパー２６が開となり、ノズル９からの風の吹出しを自動的に開始し、人の存在を検知しなくなった場合、所定の遅延時間経過後に吹出し風量制御手段としてのダンパー２６が閉となり、ノズル９からの風の吹出しを自動的に停止させる。これにより、必要な時のみ空調用空気を供給するため、省エネルギー化を図ることができる。ここで、人の存在を検知しなくなった場合、所定の遅延時間経過後にダンパー２６を閉にする理由は、人感センサ２７に赤外線センサなどを用いた場合は、人の動きがない場合に人の存在を検知できないためで、遅延時間（一例として２分間）を設けることにより、人がいるにもかかわらず風の吹出しを停止してしまう、という誤動作を防止するものである。
【００５０】
つぎに、本実施の形態１における自動傾動動作について説明する。自動傾動動作は、ノズル９を含む通風筒１の首振り方向に対して、少なくとも垂直方向にノズル９を自動的に傾動させるもので、本実施の形態１では、ノズル９を含む通風筒１の首振り方向が水平であるのに対し、自動傾動動作は鉛直方向に行うものである。これは、図３の、本発明の実施の形態１における空調用吹出し口の設置図に示すように、空調用吹出し口斜め下方の人のいる場所にノズル９より空調用空気を供給させる場合、人の配置がＡ位置からＢ位置へ変わった時などは、ノズル９の鉛直方向の角度を調整する必要があるためで、本実施の形態１では、無線リモコン２４のスイッチによってその設定を行うことができる。すなわち、手動傾動調節スイッチ２４ｅを押し続け、ノズル９が所望の鉛直方向の角度に達した時にスイッチから手を離す。この時、無線リモコン２４で設定した情報は、送信器２３から設定部２０としての受信器２５へ赤外線によって伝達され、処理部２１で記憶、処理された後、出力部２２により傾動モータ１３へ指令を出し、傾動モータ１３のシャフト１２を回転させる。シャフト１２の連続回転運動は、クランク機構１４により傾動軸１１に回転往復運動として伝えられ、傾動軸１１に固定されたノズル９が上下方向に自動傾動し、所望の鉛直方向の角度に調整することができるものである。なお、このクランク機構１４を用いて回転運動を往復運動に変換する方式は、傾動モータ１３の回転が一方方向で済むため、傾動モータ１３のコストを安価にすることができる。
【００５１】
これらの動作において、図７にも示すように、ノズル９は傾動方向の両側に設けられた開口溝８ａに沿って傾動するが、ノズル９が傾動動作で寄った方向の開口溝８ａでは複数個のシャッター８ｂが重なり、反対方向の開口溝８ａでは複数個のシャッター８ｂが伸びることによって、ノズル９が傾動した場合でも通風筒１の気密性を確保するものである。
【００５２】
また、無線リモコン２４の自動傾動ＯＮ／ＯＦＦスイッチ２４ｆを押すことにより、ノズル９の鉛直方向の傾動動作を連続で行うことができるため、３次元的にさらに広範囲に空調用空気を供給することもできる。例えば、図３において、人がＡ位置とＢ位置の両方にいた場合は、ノズル９の鉛直方向の傾動動作によって、両方の範囲に空調用空気を供給することができる。さらに、これら３次元動作は、コンピュータ（図示せず）と入力端子２９とを接続し、コンピュータで予め作成されたプログラムを、入力端子２９を介して処理部２１に入力することより、所望のノズル９の３次元動作を自動的に行い、ノズル９の首振り動作、傾動動作の制御性をさらに向上させることができる。
【００５３】
このように、本実施の形態１によれば、高所に取り付けられた空調用吹出し口であっても、ノズル９の角度調整のために脚立などに登り手動調整する必要がなく、頻繁に人の配置が変わる時でも、ノズル９を自動傾動させることにより、手間をかけることなく、ノズル９の角度調整を自動的に行うことができるものである。
【００５４】
（実施の形態２）
図４は、本発明の実施の形態２における空調用吹出し口の縦断面図である。図４において、図１と同じ構成要素については同じ符号を用い、説明を省略する。
【００５５】
図４において、１０は、通風筒１の内側に固定されノズル９を傾動させる自動傾動手段で、ノズル９に固定されノズル９の通風方向に垂直かつ首振り方向に平行に通風筒１に支持された傾動軸１１と、通風筒１に固定され傾動軸１１と平行に設置されたシャフト１２を有する傾動モータ１３と、傾動モータ１３のシャフト１２の回転運動を傾動軸１１の回転運動に伝達する回転平行伝達機構としてのチェーン４１とから構成されている。ノズル９を自動傾動させる場合は、傾動モータ１３のシャフト１２の回転が正転、逆転を繰り返すことにより、傾動軸１１に回転往復運動として伝えられ、傾動軸１１に固定されたノズル９が上下方向に自動傾動し、所望の鉛直方向の角度に調整することができるものである。
【００５６】
このように、本実施の形態２によれば、傾動モータ１３の回転を直接傾動軸１１に伝達するため、特に自動傾動動作を連続で行う場合などは、鉛直方向の傾動角度幅などを任意に設定することができ、３次元的に広範囲に空調用空気を供給する時の制御性をさらに向上させることができるものである。
【００５７】
（実施の形態３）
図５は、本発明の実施の形態３における空調用吹出し口の縦断面図である。図５において、図１と同じ構成要素については同じ符号を用い、説明を省略する。
【００５８】
図５において、１０は、通風筒１の内側に固定されノズル９を傾動させる自動傾動手段で、ノズル９に固定されノズル９の通風方向に垂直かつ首振り方向に平行に通風筒１に支持された傾動軸１１と、通風筒１に固定され傾動軸１１に直結された両軸シャフト１２ａを有する傾動モータ１３とから構成されている。ノズル９を自動傾動させる場合は、傾動モータ１３の両軸シャフト１２ａの回転が正転、逆転を繰り返すことにより、傾動軸１１に回転往復運動として伝えられ、傾動軸１１に固定されたノズル９が上下方向に自動傾動し、所望の鉛直方向の角度に調整することができるものである。
【００５９】
このように、本実施の形態３によれば、傾動モータ１３に両軸モータを使うことにより、両軸シャフト１２ａの回転を直接傾動軸１１に伝達できるため、特に自動傾動動作を連続で行う場合などは、鉛直方向の傾動角度幅などを任意に設定することができ、３次元的に広範囲に空調用空気を供給する時の制御性をさらに向上させることができる。しかも、伝達機構がないため、機構がシンプルで故障などに対する信頼性を高めることができるものである。
【００６０】
（実施の形態４）
図６は、本発明の実施の形態４における空調用吹出し口の縦断面図である。図６において、図１と同じ構成要素については同じ符号を用い、説明を省略する。
【００６１】
図６において、７は、通風筒１表面のノズル９の傾動方向に設けられたシール機構で、ノズル９が傾動する範囲に通風筒１に設けられたゴムの蛇腹状の伸縮材５１で構成されている。ノズル９が傾動動作を行う場合は、ノズル９が寄った方向の伸縮材５１の蛇腹が収縮し、反対方向の伸縮材５１の蛇腹が伸長することによって、通風筒１の気密性を確保するものである。
【００６２】
このように、本実施の形態４によれば、シール機構７にゴムの蛇腹状の伸縮材５１を使うことにより、コストを安価にすることができ、しかも、機構がシンプルで故障などに対する信頼性を高めることができるものである。
【産業上の利用可能性】
【００６３】
本発明の空調用吹出し口は、大空間において冷房や暖房などの空調を行う場合に使用される自動首振り吹出し口として有用である。また、換気、送風のみの用途にも適用できる。
【図面の簡単な説明】
【００６４】
【図１】本発明の実施の形態１の空調用吹出し口を示す縦断面図
【図２】本発明の実施の形態１の空調用吹出し口の無線リモコンを示す正面図
【図３】本発明の実施の形態１の空調用吹出し口の設置図
【図４】本発明の実施の形態２の空調用吹出し口を示す縦断面図
【図５】本発明の実施の形態３の空調用吹出し口を示す縦断面図
【図６】本発明の実施の形態４の空調用吹出し口を示す縦断面図
【図７】本発明の実施の形態１の空調用吹出し口を示す斜視図
【図８】従来の空調用吹出し口の縦断面図
【図９】従来の空調用吹出し口の設置図
【符号の説明】
【００６５】
１      通風筒
２      自動首振り手段
３      通風路
４      首振りモータ
５      シャフト
６      首振り支持部
７      シール機構
８ａ    開口溝
８ｂ    シャッター
９      ノズル
１０    自動傾動手段
１１    傾動軸
１２    シャフト
１３    傾動モータ
１４    クランク機構
１６    制御装置
１７ａ  電気配線
１７ｂ  電気配線
１８    レール
２０    設定部
２１    処理部
２２    出力部
２３    送信器
２４    無線リモコン
２５    受信器
２６    ダンパー
２７    人感センサ
２９    入力端子
４１    チェーン
５１    伸縮材
【図１】
2008064360.tif 000003
【図２】
2008064360.tif 000004
【図３】
2008064360.tif 000005
【図４】
2008064360.tif 000006
【図５】
2008064360.tif 000007
【図６】
2008064360.tif 000008
【図７】
2008064360.tif 000009
【図８】
2008064360.tif 000010
【図９】
2008064360.tif 000011